(57)【要約】【課題】送金者から受取者に、安全に送金できる送金システムを提供する。【解決手段】送金システム１は、受取端末１０の制御部１９が、受取者Ｂの受取端末１０の操作に応じて、送金口座の情報を有する受取予約を制御部５９に送信し、制御部５９が、受取端末１０から受信した受取予約を受取予約記憶部５７に記憶し、送金者Ａの送金端末３０の操作に応じて、送金端末３０から送金口座に関する情報を有する問合せを受け付け、問合せと、受取予約記憶部５７の受取予約とを照合し、照合結果を送金端末３０から送金者Ａに伝達し、送金銀行サーバ４０の制御部４９が、照合結果を伝達後に、送金端末３０から受取口座の入力を受け付けて、受取口座への送金を実行し、受取銀行サーバ２０の制御部２９が、受取者Ｂの現金払出を行う受取端末１０の操作に応じて、受取口座からの現金払出を行う。【選択図】図２
2016057675.tif 000002
【特許請求の範囲】
【請求項１】
送金を受け取る受取者が操作する受取端末と、
受取者の受取口座を有する受取銀行の受取銀行サーバと、
送金する送金者が操作する送金端末と、
送金者の送金口座を有する送金銀行の送金銀行サーバと、
送金処理を管理する管理部と、
を通信網上に備える送金システムであって、
受取端末の制御部は、
受取者の受取端末の操作に応じて、前記送金口座の情報を有する受取予約を前記管理部に送信し、
前記管理部は、
受取端末から受信した前記受取予約を予約記憶部に記憶し、
送金者の前記送金端末の操作に応じて、前記送金端末から前記送金口座に関する情報を有し、受取予約の有無を確認するための問合せを受け付け、
前記問合せと、前記予約記憶部の受取予約とを照合し、照合結果を前記送金端末から送金者に伝達し、
前記送金銀行サーバの制御部は、
前記照合結果を伝達後に、前記送金端末から前記受取口座の入力を受け付けて、前記受取口座への送金を実行し、
前記受取銀行サーバの制御部は、
受取者の現金払出を行う受取端末の操作に応じて、前記受取口座からの現金払出を行うこと、
を特徴とする送金システム。
【請求項２】
請求項１に記載の送金システムにおいて、
前記受取予約の操作を受け付けた受取端末の制御部は、
前記受取予約として、前記送金口座に加えて、前記受取予約の操作を受け付けた受取端末の設置場所情報を前記管理部に送信し、
前記管理部は、
前記受取予約として、前記設置場所情報を前記予約記憶部に記憶し、
前記送金端末からの前記問合せに応じて、前記予約記憶部に記憶した前記設置場所情報に関する情報を、前記送金端末から送金者に伝達すること、
を特徴とする送金システム。
【請求項３】
請求項２に記載の送金システムにおいて、
前記管理部は、
受取者の現金払出を行う受取端末の操作に応じて、現金払出を行う受取端末の設置場所情報を受信し、
現金払出を行う受取端末の設置場所情報と前記予約記憶部に記憶した前記設置場所情報との照合結果に応じて、現金払出操作を受け付けた受取端末での現金払出を、前記受取銀行サーバに対して許可すること、
を特徴とする送金システム。
【請求項４】
請求項１から請求項３のいずれかに記載の送金システムにおいて、
前記管理部は、
受取端末からの前記受取予約の受信に応じて、送金パスコードを作成し、
前記送金パスコードを前記予約記憶部に記憶し、
前記送金パスコードを前記受取予約を受け付けた受取端末から受取者に伝達し、
前記送金端末からの前記問合せとして、前記送金口座に関する情報に加えて、前記送金端末に入力されたパスコードを受け付け、
前記送金端末に入力されたパスコードと、前記予約記憶部の前記送金パスコードとを照合し、照合結果を前記送金端末から送金者に伝達すること、
を特徴とする送金システム。
【請求項５】
請求項１から請求項４のいずれかに記載の送金システムにおいて、
前記管理部は、
前記受取口座への送金の実行に応じて、受取パスコードを作成し、
前記受取パスコードを前記予約記憶部に記憶し、
前記受取パスコードを前記送金端末から送金者に伝達し、
現金払出時において、受取者が受取端末に入力したパスコードを受け付け、
受取端末から受け付けたパスコードと前記予約記憶部の前記受取パスコードとの照合結果に応じて、現金払出操作を受け付けた受取端末での現金払出を、前記受取銀行サーバに対して許可すること、
を特徴とする送金システム。
【請求項６】
請求項１から請求項５のいずれかに記載の送金システムにおいて、
前記管理は、送金に関する処理を統括するサーバに設けられていること、
を特徴とする送金システム。
【発明の詳細な説明】
【技術分野】
【０００１】
本発明は、送金者から受取者に送金する送金システムに関するものである。
【背景技術】
【０００２】
従来、振込金を、送金者から受取者の銀行口座に振り込み、引出をできるシステムがあった。例えば、特許文献１の振込み詐欺防止システムは、引出場所を限定することにより、不正に要求された振込金の引出を防止するものである。
しかし、従来のシステムでは、送金者は、適正な受取者であるかを、正確に判定できない場合等があった。
【先行技術文献】
【特許文献】
【０００３】
【特許文献１】特開２０１３−４５３４５号公報
【発明の概要】
【発明が解決しようとする課題】
【０００４】
本発明の課題は、送金者から受取者に、安全に送金できる送金システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、送金を受け取る受取者（Ｂ）が操作する受取端末（１０）と、受取者の受取口座を有する受取銀行の受取銀行サーバ（２０，２２０）と、送金する送金者（Ａ）が操作する送金端末（３０）と、送金者の送金口座を有する送金銀行の送金銀行サーバ（４０，４４０）と、送金処理を管理する管理部（５９，２５９−１，２５９−２）と、を通信網上に備える送金システム（１，２０１）であって、受取端末の制御部（１９）は、受取者の受取端末の操作に応じて、前記送金口座の情報を有する受取予約を前記管理部に送信し、前記管理部は、受取端末から受信した前記受取予約を予約記憶部（５７，２５７−１，２５７−２）に記憶し、送金者の前記送金端末の操作に応じて、前記送金端末から前記送金口座に関する情報を有し、受取予約の有無を確認するための問合せを受け付け、前記問合せと、前記予約記憶部の受取予約とを照合し、照合結果を前記送金端末から送金者に伝達し、前記送金銀行サーバの制御部（４９，２４９）は、前記照合結果を伝達後に、前記送金端末から前記受取口座の入力を受け付けて、前記受取口座への送金を実行し、前記受取銀行サーバの制御部（２９，２２９）は、受取者の現金払出を行う受取端末の操作に応じて、前記受取口座からの現金払出を行うこと、を特徴とする送金システムである。
・第２の発明は、第１の発明の送金システムにおいて、前記受取予約の操作を受け付けた受取端末（１０）の制御部（１９）は、前記受取予約として、前記送金口座に加えて、前記受取予約の操作を受け付けた受取端末の設置場所情報（１６ａ）を前記管理部（５９，２５９−１）に送信し、前記管理部（５９，２５９−１，２５９−２）は、前記受取予約として、前記設置場所情報を前記予約記憶部（５７，２５７−１，２５７−２）に記憶し、前記送金端末（３０）からの前記問合せに応じて、前記予約記憶部に記憶した前記設置場所情報に関する情報を、前記送金端末（３０）から送金者（Ａ）に伝達すること、を特徴とする送金システムである。
・第３の発明は、第２の発明の送金システムにおいて、前記管理部（５９，２５９−１）は、受取者（Ｂ）の現金払出を行う受取端末（１０）の操作に応じて、現金払出を行う受取端末の設置場所情報を受信し、現金払出を行う受取端末の設置場所情報と前記予約記憶部（５７，２５７−１，２５７−２）に記憶した前記設置場所情報との照合結果に応じて、現金払出操作を受け付けた受取端末での現金払出を、前記受取銀行サーバ（２０，２２０）に対して許可すること、を特徴とする送金システムである。
・第４の発明は、第１から第３のいずれかの発明の送金システムにおいて、前記管理部（５９，２５９−１，２５９−２）は、受取端末（１０）からの前記受取予約の受信に応じて、送金パスコードを作成し、前記送金パスコードを前記予約記憶部（５７，２５７−１，２５７−２）に記憶し、前記送金パスコードを前記受取予約を受け付けた受取端末から受取者（Ｂ）に伝達し、前記送金端末（３０）からの前記問合せとして、前記送金口座に関する情報に加えて、前記送金端末に入力されたパスコードを受け付け、前記送金端末に入力されたパスコードと、前記予約記憶部の前記送金パスコードとを照合し、照合結果を前記送金端末から送金者（Ａ）に伝達すること、を特徴とする送金システムである。
・第５の発明は、第１から第４のいずれかの発明の送金システムにおいて、前記管理部（５９，２５９−１，２５９−２）は、前記受取口座への送金の実行に応じて、受取パスコードを作成し、前記受取パスコードを前記予約記憶部（５７，２５７−１，２５７−２）に記憶し、前記受取パスコードを前記送金端末（３０）から送金者（Ａ）に伝達し、現金払出時において、受取者（Ｂ）が受取端末（１０）に入力したパスコードを受け付け、受取端末から受け付けたパスコードと前記予約記憶部の前記受取パスコードとの照合結果に応じて、現金払出操作を受け付けた受取端末での現金払出を、前記受取銀行サーババ（２０，２２０）に対して許可すること、を特徴とする送金システムである。
・第６の発明は、第１から第５のいずれかの発明の送金システムにおいて、前記管理部（５９）は、送金に関する処理を統括するサーバ（５０）に設けられていること、を特徴とする送金システムである。
【発明の効果】
【０００７】
本発明によれば、送金者から受取者に、安全に送金できる送金システムを提供できる。
【図面の簡単な説明】
【０００８】
【図１】第１実施形態の送金システム１の構成の概略を示す図である。
【図２】第１実施形態の送金システム１のブロック図である。
【図３】第１実施形態の受取予約の受付処理を説明するシーケンス図である。
【図４】第１実施形態の受取予約の受付処理の表示画面を説明する図である。
【図５】第１実施形態の送金受付処理を説明するシーケンス図である。
【図６】第１実施形態の送金受付処理を説明するシーケンス図である。
【図７】第１実施形態の送金受付処理の表示画面を説明する図である。
【図８】第１実施形態の現金払出処理を説明するシーケンス図である。
【図９】第１実施形態の現金払出処理の表示画面を説明する図である。
【図１０】第１実施形態の送金処理における情報の流れを説明する図である。
【図１１】第２実施形態の送金システム２０１のブロック図である。
【図１２】第２実施形態の送金処理における情報の流れを説明する図である。
【発明を実施するための形態】
【０００９】
以下、図面等を参照して、本発明の実施形態について説明する。
（第１実施形態）
図１は、第１実施形態の送金システム１の構成の概略を示す図である。
図２は、第１実施形態の送金システム１のブロック図である。
送金システム１は、送金者Ａが振込みによって受取者Ｂの受取口座に送金し、受取者Ｂがその受取口座から、送金額を受取ＡＴＭ１０を用いて現金払出をするものである。後述するように、受取者Ｂは、送金者Ａの送金前に、受取ＡＴＭ１０で受取予約をし、送金後短時間のうちに、受取ＡＴＭ１０の設置場所に再度行って、現金払出をする。
実施形態では、説明を容易にするために、受取側の構成を受取ＡＴＭ１０、受取銀行サーバ２０等といい、また、送金側の構成を送金ＡＴＭ３０、送金銀行サーバ４０等というが、実際には、これらは、区別しなくてもよい。つまり、受取側の銀行、送金側の銀行は、実際には、通常の銀行の機能を備えるものであり、受取側、送金側で区別されるものではない。
【００１０】
［送金システム１の構成］
送金システム１は、受取ＡＴＭ１０（受取端末）、受取銀行サーバ２０、送金銀行サーバ４０、送金ＡＴＭ３０（送金端末）、送金管理サーバ５０を、インターネット等の通信網２上に備え、これらが必要に応じて情報を通信できる。
【００１１】
なお、各装置の記憶部１６，２６，３６，４６，５６（後述する）は、各装置の動作に必要なプログラム、情報等を記憶するためのハードディスク、半導体メモリ素子等の記憶装置である。また、各装置の制御部１９，２９，３９，４９，５９（後述する）は、各装置を統括的に制御する制御装置であり、ＣＰＵ（中央処理装置）等から構成される。各制御部１９，２９，３９，４９，５９は、各記憶部１６，２６，３６，４６，５６に記憶された各種プログラムを適宜読み出して実行することにより、各ハードウェアと協働し、送金システム１の各種機能を実現している。各制御部１９，２９，３９，４９，５９は、例えば、他の装置との通信に関する制御等をする。
【００１２】
受取ＡＴＭ１０は、送金を受け取る受取者Ｂが操作する端末である。
受取ＡＴＭ１０は、受取銀行に関する業務を行う現金自動預け払い機である。受取ＡＴＭ１０は、防犯カメラ等の防犯設備が充実した施設に設定されている。
受取ＡＴＭ１０は、異なる設置場所に複数配置されている。受取ＡＴＭ１０の設置場所は、特に限定されない。
例えば、受取ＡＴＭ１０は、受取銀行の複数の支店にそれぞれ配置されている。同一支店内には、複数の受取ＡＴＭ１０が配置されている。また、受取ＡＴＭ１０は、コンビニエンスストア等の店舗内に配置されていたり、公共交通機関の施設等に配置されていてもよい。
【００１３】
受取ＡＴＭ１０は、操作部１１、表示部１２、カード挿入部１３、通帳挿入部１４、現金入出金部１５、記憶部１６、制御部１９を備える。
操作部１１は、受取者Ｂが受取ＡＴＭ１０を操作する操作ボタン等である。
表示部１２は、受取者Ｂに情報を表示する液晶表示装置等である。
受取ＡＴＭ１０は、操作部１１、表示部１２を兼用するタッチパネルディスプレイ等を備えていてもよい。
カード挿入部１３は、受取者Ｂが受取口座のキャッシュカードを挿入する挿入口である。カード挿入部１３は、キャッシュカードの磁気情報を読み取るリーダ（図示せず）等を備える。
通帳挿入部１４は、受取者Ｂが通帳を挿入する挿入口である。通帳挿入部１４は、通帳に預金残高を記入するプリンタ（図示せず）等を備える。
現金入出金部１５は、現金の入金、払出を行う装置である。
【００１４】
記憶部１６は、ＡＴＭ識別情報１６ａ（設置場所情報）を記憶する。ＡＴＭ識別情報１６ａは、受取ＡＴＭ１０を識別するために、各受取ＡＴＭ１０に付与された固有の情報である。後述するように、ＡＴＭ識別情報１６ａは、受取ＡＴＭ１０の設置場所の確認等に用いられる。ＡＴＭ識別情報１６ａは、例えば、番号、記号等である。
【００１５】
受取銀行サーバ２０は、受取者Ｂの銀行口座である受取口座を有する受取銀行のサーバである。
受取銀行サーバ２０は、記憶部２６、制御部２９を備える。
記憶部２６は、預金記憶部２７を備える。
預金記憶部２７は、受取者Ｂを含む顧客の銀行口座に関する情報を記憶する記憶領域である。
預金記憶部２７は、受取者Ｂの情報として、「支店名：△△」、「受取口座番号：１２３４」、「暗証番号」、「受取者：Ｂ」、「預金（つまり預金残高）」、「Ｅメールアドレス」等を対応付けて記憶する。
【００１６】
送金ＡＴＭ３０は、送金銀行に関する業務を行う現金自動預け払い機である。送金ＡＴＭ３０は、受取ＡＴＭ１０と同様に、異なる場所に複数配置され、その配置場所は、特に限定されない。
送金ＡＴＭ３０は、送金する送金者Ａが操作する端末である。
送金ＡＴＭ３０の構成は、受取ＡＴＭ１０の構成と同様である。送金ＡＴＭ３０は、操作部３１、表示部３２、カード挿入部３３、通帳挿入部３４、現金入出金部３５、記憶部３６、制御部３９を備える。
【００１７】
送金銀行サーバ４０は、送金者Ａの送金口座を有する送金銀行のサーバである。
送金銀行サーバ４０は、受取銀行サーバ２０と同様に、記憶部４６、制御部４９を備える。
記憶部４６の預金記憶部４７は、送金者Ａの情報として、「支店名：○○」、「送金口座番号：４５６７」、「暗証番号」、「送信者：Ａ」、「預金」、「Ｅメールアドレス」等を対応付けて記憶する。
なお、Ｅメールアドレスは、口座開設時等に送金者Ａが登録可能である。送金者Ａは、Ｅメールアドレス宛てのＥメールを、送金者Ａが所有するパーソナルコンピュータ、携帯情報端末等から確認できる。
【００１８】
送金管理サーバ５０は、送金に関する処理を統括するサーバである。
送金管理サーバ５０は、記憶部５６、制御部５９（管理部）を備える。
記憶部５６は、受取予約記憶部５７、ＡＴＭ識別情報−設置場所記憶部５８を備える。
受取予約記憶部５７は、受取予約についての情報を記憶する記憶領域である。受取予約の情報の詳細は、後述する。
ＡＴＭ識別情報−設置場所記憶部５８は、各受取ＡＴＭ１０と、その設置場所とを対応付けて、テーブルの形態で記憶する。例えば、受取ＡＴＭ１０のＡＴＭ識別情報１６ａ「００１」と、その設置店「××市支店」とを対応付けて記憶する（図１参照）。
このため、送金管理サーバ５０は、ＡＴＭ識別情報−設置場所記憶部５８を参照することにより、ＡＴＭ識別情報１６ａに基づいて、受取ＡＴＭ１０の設置場所を判定することができる。
制御部５９は、パスコード作成部５９ａを備える。
パスコード作成部５９ａは、送金パスコード、受取パスコード（後述する）を作成する。
【００１９】
［送金システム１の送金処理］
送金システム１の送金処理について、説明する。
図３は、第１実施形態の受取予約の受付処理を説明するシーケンス図である。
図４は、第１実施形態の受取予約の受付処理の表示画面を説明する図である。
図５、図６は、第１実施形態の送金受付処理を説明するシーケンス図である。
図７は、第１実施形態の送金受付処理の表示画面を説明する図である。
図８は、第１実施形態の現金払出処理を説明するシーケンス図である。
図９は、第１実施形態の現金払出処理の表示画面を説明する図である。
図１０は、第１実施形態の送金処理における情報の流れを説明する図である。
【００２０】
送金システム１は、受取者Ｂ、送金者Ａの操作に基づいて、以下の順で処理を行う。
（受取予約の受付処理）
図３、図４、図１０等を参照して、受取予約の受付処理について説明する。
最初に、送金者Ａに送金を依頼する受取者Ｂは、受取ＡＴＭ１０の設置場所に行き、受取ＡＴＭ１０を操作して、表示部１２の表示（図示せず）に従って受取予約の受付を選択する。ここでは、受取者Ｂは、××市支店の２台の受取ＡＴＭ１０のうち、「ＡＴＭ識別情報１６ａ：００１」（図１参照）のものを用いるものとする。
【００２１】
図３に示すように、Ｓ１，Ｓ２において、受取ＡＴＭ１０の制御部１９、受取銀行サーバ２０の制御部２９は、受取者Ｂから、受取予約の選択操作を受け付け、受取予約の処理を開始する。
Ｓ３において、受取ＡＴＭ１０の制御部１９は、表示部１２の表示画面（図示せず）等によって、キャッシュカードの挿入、暗証番号の入力を、受取者Ｂに要求する。
受取者Ｂは、受取ＡＴＭ１０を操作して、キャッシュカードを挿入し、暗証番号を入力する。
Ｓ４において、受取銀行サーバ２０の制御部２９は、預金記憶部２７を参照し、受取者Ｂの受取口座、暗証番号を照合する。
【００２２】
Ｓ５において、受取銀行サーバ２０の制御部２９は、Ｓ４の照合結果が適切である場合には、受取銀行サーバ２０及び送金管理サーバ５０間の通信と、受取ＡＴＭ１０及び送金管理サーバ５０間の通信とを確立する。以降の処理は、受取銀行サーバ２０の制御部２９と、送金管理サーバ５０の制御部５９とが、必要に応じて情報を送受信しながら行う。なお、制御部５９は、Ｓ４の照合結果が不適切である場合には、受取予約の受付処理を終了する。
Ｓ６において、送金管理サーバ５０は、受取ＡＴＭ１０に対して、受取予約入力画面１２ａ（図４（Ａ）参照）を送信する。
Ｓ７において、受取ＡＴＭ１０の制御部１９は、受取予約入力画面１２ａを、表示部１２に表示することにより、受取者Ｂに対して入力を要求する。
【００２３】
受取予約入力画面１２ａは、以下の入力項目を有する。
・送金銀行
・支店名
・送金口座番号
・送金者の名前
・受取予約額
ここでは、受取者Ｂが、受取予約として、送金者Ａに関する情報である「送金銀行：α」、「支店名：○○」、「送金口座番号：４５６７」、「送金者の名前：Ａ」と、「受取予約額：１０万円」とを入力した例を説明する（図４（Ａ）の♯７参照）。
また、受取ＡＴＭ１０の制御部１９は、記憶部１６から「ＡＴＭ識別情報１６ａ：００１」（図１参照）を読み出す。
Ｓ８において、受取ＡＴＭ１０の制御部１９は、受取者Ｂの確認ボタン１２ｂの操作に応じて、受取予約に関する情報として、入力された送金者Ａの上記情報と、読み出したＡＴＭ識別情報１６ａとを、送金管理サーバ５０に送信する（図１０参照）。
【００２４】
このように、送金システム１では、受取者Ｂは、送金者Ａに送金を依頼するためには、予め、送金者Ａが送金銀行に持っている口座情報を知っている必要がある。これにより、受取者Ｂ、送金者Ａ間の関係は、ある程度、親しい関係であること（例えば、家族等）が必要である。つまり、適正な受取者Ｂは、送金者Ａと親密な関係であることが要求される。これにより、送金システム１は、適正な受取者Ｂになりすました者が、不正目的で送金を依頼するような行為を抑制できる。
【００２５】
Ｓ９において、送金管理サーバ５０のパスコード作成部５９ａは、受取ＡＴＭ１０からの受取予約に関する情報の受信に応じて、送金パスコードを作成する。
Ｓ１０において、送金管理サーバ５０の制御部５９は、受取予約として、受取ＡＴＭ１０から受信したと情報と、作成した送金パスコードとを、受取予約記憶部５７に記憶する（図１０の♯１０参照）。
【００２６】
Ｓ１１において、送金管理サーバ５０の制御部５９は、作成した送金パスコードを、受取予約を受け付けた受取ＡＴＭ１０に送信する。
Ｓ１２において、受取ＡＴＭ１０の制御部１９は、「送金パスコード：ａｂｃ」の表示１２ｄを有する送金パスコード表示画面１２ｃ（図４（Ｂ）参照）を、表示部１２に表示する。
これにより、送金管理サーバ５０の制御部５９は、作成した送金パスコードを、受取者Ｂに伝達できる。
Ｓ１３において、受取ＡＴＭ１０の制御部１９は、終了ボタン１２ｅ（図４（Ｂ）参照）の操作を受け付けると、キャッシュカードを排出して受取者Ｂに返却する。
受取者Ｂは、予約終了後、送金者Ａに対して「送金パスコード：ａｂｃ」、「受取予約金額：１０万円」を、Ｅメールや電話等の連絡によって伝達する（図１の＃１２参照）。
【００２７】
ここで、後述するように、送金者Ａは、送金処理の受付処理において、この送金パスコードを、送金ＡＴＭ３０に入力する必要がある。このため、受取者Ｂは、この送金パスコードを電話等で送金者Ａに教える必要がある。この電話等によって、送金者Ａは、受取予約の正当性を、受取者Ｂに対して確認できる。これにより、送金システム１は、受取予約による送金依頼のみの形態よりも、安全性を向上できる。
【００２８】
Ｓ１４において、送金管理サーバ５０の制御部５９は、送金銀行サーバ４０に対して、受取予約があった旨の情報を送信する。この場合、制御部５９は、受取予約の全ての情報を送信する必要はない。送信する情報は、受取予約の情報のうち、送金者Ａを特定できる情報が含まれていればよい。つまり、制御部５９は、受取予約の詳細（金額等）を送信する必要はない。ここでは、送金口座番号を送信する例を説明する。
【００２９】
Ｓ１５において、送金銀行サーバ４０の制御部４９は、送金管理サーバ５０から受信した口座番号に基づいて、預金記憶部４７を参照することにより、その口座番号に対応した送金者Ａを特定する。
制御部４９は、登録された送金者ＡのＥメールアドレス宛てに、受取予約があった旨を伝えるＥメール６０を送信する（図１の♯１５，図４（Ｃ）参照）。これにより、送金者Ａは、Ｅメール６０を、自分の所持するコンピュータ等で確認できる。
Ｅメール６０には、受取予約があった旨の情報が含まれる。なお、送金銀行サーバ４０には、受取予約の詳細（受取者Ｂ、受取予約額等）が送信されていないため、Ｅメール６０の情報には含まれない。
【００３０】
以上により、受取予約の受付の処理が終了する。この時点では、送金管理サーバ５０、送金者Ａ、受取者Ｂは、以下の状態になっている。
送金管理サーバ５０は、受取予約が受取予約記憶部５７に記憶された状態である（図１０の♯１０参照）。
送金者Ａは、受取者Ｂから、送金パスコードが電話等の連絡によって伝達され（図１の＃１２参照）、また、送金銀行サーバ４０からのＥメール６０によって、受取予約があった旨が伝達された状態である。
受取者Ｂは、送金者Ａからの送金と、送金者Ａからの受取パスコード（後述する）の連絡を待っている状態である。
【００３１】
（送金受付処理）
図５から図７、図１０等を参照して、送金受付処理について説明する。
送金者Ａは、送金ＡＴＭ３０が設置されている施設に行き、送金ＡＴＭ３０を操作して、表示部３２の表示（図示せず）に従って、送金受付を選択する。
図５に示すように、Ｓ２１において、送金ＡＴＭ３０の制御部３９、送金銀行サーバ４０の制御部４９は、送金者Ａから、送金受付の選択操作を受け付け、送金受付処理を開始する。
Ｓ２３〜Ｓ２５の処理において、送金ＡＴＭ３０の制御部３９、送金銀行サーバ４０の制御部４９は、上記Ｓ３〜Ｓ５と同様に、送金者Ａの送金口座、暗証番号を照合し、また、送金銀行サーバ４０及び送金管理サーバ５０間の通信と、送金ＡＴＭ３０及び送金管理サーバ５０間の通信とを確立する。
以降の処理は、送金銀行サーバ４０の制御部４９と、送金管理サーバ５０の制御部５９とが、必要に応じて情報を送受信しながら行う。なお、送金銀行サーバ４０の制御部４９は、Ｓ２４の照合結果が不適切である場合には、送金受付処理を中止する。
【００３２】
Ｓ２６において、送金管理サーバ５０の制御部５９は、送金ＡＴＭ３０に対して、送金受付処理の送金受付入力画面３２ａ（図７（Ａ）参照）を送信する。
Ｓ２７において、送金ＡＴＭ３０の制御部３９は、送金受付入力画面３２ａを、表示部３２に表示することにより、送金者Ａに対して入力を要求する。
【００３３】
送金受付入力画面３２ａは、以下の入力項目を有する。
・受取予約額
・送金パスコード
ここでは、送金者Ａが、適正な情報である「受取予約額：１０万円」、「送金パスコード：ａｂｃ」を入力した例を説明する（図７（Ａ）の♯２７参照）。
つまり、送金者Ａは、送金銀行サーバ４０からのＥメール６０（図４（Ｃ）参照）と、受取者Ｂから連絡された受取予約額及び送金パスコードとに基づいて、実際に受取予約があったか否かを確認するための問合せを行うわけである。
【００３４】
Ｓ２８において、送金ＡＴＭ３０の制御部３９は、送金者Ａの確認ボタン３２ｂの操作に応じて、問合せの情報として、「送金銀行：α」、「支店名：○○」、「送金口座番号：４５６７」、「送金者Ａ」と、入力された「受取予約額：１０万円」、「送金パスコード：ａｂｃ」とを、送金管理サーバ５０に送信する。
なお、送金銀行サーバ４０の制御部４９、送金ＡＴＭ３０の制御部３９は、これら「送金銀行：α」、「支店名：○○」、「送金口座番号：４５６７」の情報を、送金者Ａの送金口座、暗証番号を照合時（Ｓ２４）に、確認することができる。
【００３５】
Ｓ２９において、送金管理サーバ５０の制御部５９は、送金ＡＴＭ３０からの受信した上記問合せと、受取予約記憶部５７の受取予約とを照合する（図１０の♯２９参照）。
すなわち、制御部５９は、「送金銀行：α」、「支店名：○○」、「送金口座番号：４５６７」、「送金者：Ａ」の情報に基づいて、受取予約記憶部５７を参照し、送金者Ａに対して受取予約があったか否かを確認する。かつ、制御部５９は、送金ＡＴＭ３０に入力された「受取予約額：１０万円」、「送金パスコード：ａｂｃ」と、受取予約記憶部５７の「受取予約額：１０万円」、「送金パスコード：ａｂｃ」とを照合する。なお、制御部５９は、不適切な照合結果であった場合（つまり、両者が一致しない場合）には、送金受付処理を終了する。
【００３６】
Ｓ３０において、送金管理サーバ５０の制御部５９は、適切な照合結果であった場合（つまり、両者が一致した場合）には、受取予約記憶部５７の「ＡＴＭ識別情報１６ａ：００１」を読み出す。次に、制御部５９は、この「ＡＴＭ識別情報１６ａ：００１」に基づいて、ＡＴＭ識別情報−設置場所記憶部５８を参照することにより、受取予約を受け付けた受取ＡＴＭ１０の設置場所「××市支店」を確認する。
【００３７】
Ｓ３１において、送金管理サーバ５０の制御部５９は、照合結果表示画面３２ｃ（図７（Ｂ）参照）を作成し、送金ＡＴＭ３０に送信する。
Ｓ３２において、送金ＡＴＭ３０の制御部３９は、照合結果表示画面３２ｃを、表示部３２に表示する。
照合結果表示画面３２ｃは、以下の表示を備える。
・照合結果の表示３２ｄ
・受取ＡＴＭ１０の設置場所の表示３２ｅ
【００３８】
送金者Ａは、照合結果の表示３２ｄを確認することにより、受取予約が実際にあったことを確認できる。
また、送金者Ａは、受取ＡＴＭ１０の設置場所の表示３２ｅを確認することにより、受取者Ｂの所在（受取予約者がどこに居るか）を確認できる。
これにより、送金管理サーバ５０は、照合結果、受取ＡＴＭ１０の設置場所を、送金ＡＴＭ３０から送金者Ａに伝達できる。
【００３９】
ここで、前述したように、受取者Ｂ及び送金者Ａは、親密な関係である。このため、通常は、送金者Ａは、受取者Ｂの現在の居場所（居所、旅行先等）を把握している。そのため、送金者Ａは、受取予約された受取ＡＴＭ１０の設置場所が、受取者Ｂの現在の居場所とは予想外の場所であれば、その受取予約を不審に感じる。これにより、送金者Ａは、受取予約が適切であるか否かを判定できる。
【００４０】
送金者Ａは、これらを確認して、不審な点がなく適切な受取予約であると判断した場合には、継続ボタン３２ｆを操作すればよい。一方、送金者Ａは、不審な点があると判断した場合には、終了ボタン３２ｇを操作すればよい。
図６に示すように、Ｓ３３において、送金ＡＴＭ３０の制御部３９、送金管理サーバ５０の制御部５９は、継続ボタン３２ｆの操作を受け付けた場合には、送金受付処理を続行し、一方、終了ボタン３２ｇの操作を受け付けた場合には、送金受付処理を終了する。
Ｓ３４において、送金管理サーバ５０の制御部５９は、送金ＡＴＭ３０から継続ボタン３２ｆの操作を受け付けると、受取口座の入力画面３２ｈ（図７（Ｃ）参照）を作成し、送金ＡＴＭ３０に送信する。
Ｓ３５において、送金ＡＴＭ３０の制御部３９は、受取口座の入力画面３２ｈを表示部３２に表示する。これにより、送金銀行サーバ４０の制御部４９は、上記照合結果の伝達（Ｓ３２）の後に、送金ＡＴＭ３０への受取口座の入力を受け付けることができる。
【００４１】
送金者Ａは、受取銀行βの受取者Ｂの口座に関する情報として、「受取銀行：β」、「支店名：△△」、「受取口座番号：１２３４」を、送金ＡＴＭ３０に入力する（図７（Ｃ）の＃３５参照）。そして、送金者Ａは、送金実行する場合には、送金実行ボタン３２ｉを操作する。
Ｓ３６において、送金ＡＴＭ３０の制御部３９は、送金実行の操作に応じて、「受取予約額（送金額）：１０万円」の情報と、入力された「受取銀行：β」、「支店名：△△」、「受取口座番号：１２３４」の情報とを、送金銀行サーバ４０、送金管理サーバ５０に送信する。
【００４２】
Ｓ３７において、送金銀行サーバ４０の制御部４９は、受取口座への送金を実行する。つまり、制御部４９は、受取銀行サーバ２０に接続し、「受取銀行：β」、「支店名：△△」、「受取口座番号：１２３４」、「送金額：１０万円」の情報を送信する。
Ｓ３８において、受取銀行サーバ２０の制御部２９は、これを受信すると、受取口座の情報を更新する。つまり、制御部２９は、預金記憶部２７の受取者Ｂの預金に、送金額「１０万円」を加算する。
【００４３】
Ｓ３９において、送金管理サーバ５０のパスコード作成部５９ａは、送金銀行サーバ４０の送金実行に応じて、受取パスコードを作成する。ここでは、受取パスコードが「ｃｄｅ」である例を説明する。
Ｓ４０において、送金管理サーバ５０の制御部５９は、送金ＡＴＭ３０に入力された「受取銀行：β」、「支店名：△△」、「受取口座番号：１２３４」と、作成した「受取パスコード：ｃｄｅ」とを、受取予約記憶部５７に追加記憶する（図１０の♯４０参照）。
Ｓ４１において、送金管理サーバ５０の制御部５９は、「受取パスコード：ｃｄｅ」を、送金ＡＴＭ３０に送信する。
【００４４】
Ｓ４２において、送金ＡＴＭ３０は、「受取パスコード：ｃｄｅ」の表示３２ｋ（図７（Ｄ）参照）を有する受取パスコード表示画面３２ｊを、表示部３２に表示する。これにより、送金管理サーバ５０の制御部５９は、「受取パスコード：ｃｄｅ」を、送金ＡＴＭ３０から送金者Ａに伝達できる。
Ｓ４３において、送金ＡＴＭ３０の制御部３９は、終了ボタン３２ｍの操作を受け付けると、キャッシュカードを排出して送金者Ａに返却する。
送金者Ａは、受取者Ｂに対して、「受取パスコード：ｃｄｅ」をＥメール、電話等の連絡によって伝達する（図１の♯４２参照）。
以上により、受付銀行サーバ２０、送金ＡＴＭ３０、送金銀行サーバ４０、送金管理サーバ５０は、送金受付処理を終了する。
【００４５】
ここで、後述するように、受取者Ｂは、現金払出の受付処理において、この「受取パスコード：ｃｄｅ」を、受取ＡＴＭ１０に入力する必要がある（図９のＳ５８参照）。このため、受取者Ｂは、この受取パスコードを送金者Ａからの電話連絡等で教えて貰う必要がある。
これにより、送金者Ａは、正当な受取者Ｂに対して電話等で連絡した際に、受取予約が適切であるか否かを判定できる。すなわち、なりすました者の受取予約の場合には、送金者Ａが受取者Ｂの連絡先（送金者Ａが予め知っている電話番号等）に連絡しても、受取者Ｂは、その受取予約について、身に覚えのないことになるからである。
【００４６】
以上により、送金受付処理の受付が終了する。この時点では、送金管理サーバ５０、受取銀行サーバ２０、受取者Ｂは、以下の状態になっている。
送金管理サーバ５０は、受取予約として、「支店名：△△」、「受取口座番号：１２３４」、「受取パスコード：ｃｄｅ」が追加して記憶された状態である（図１０の♯４０参照）。
受取銀行サーバ２０は、「受取予約額：（送金額）１０万円」の現金払出を待っている状態である。
受取者Ｂは、「受取パスコード：ｃｄｅ」を、送金者Ａからの連絡によって伝達された状態であり（図１の♯４２参照）、受取ＡＴＭ１０を利用して、送金額の現金払出をできる状態である。
【００４７】
（現金払出処理）
図８から図１０等を参照して、現金払出処理について説明する。
受取者Ｂは、受取ＡＴＭ１０の設置場所に再度行って、受取ＡＴＭ１０を操作して、現金払出処理を選択する。
実施形態では、受取者Ｂは、受取予約の受け付け後、短期間（例えば数分から数時間程度）のうちに、現金払出をする例を説明する。このため、受取者Ｂは、受取予約をした××市支店から近距離内におり、××市内の同一の××市支店で現金払出をするものとする。ここでは、受取者Ｂは、××市支店の２台の受取ＡＴＭ１０のうち、「ＡＴＭ識別情報１６ａ：００２」（図１参照）のものを用いるものとする。
【００４８】
図８に示すように、Ｓ５１，Ｓ５２において、受取ＡＴＭ１０の制御部１９、受取銀行サーバ２０の制御部２９は、受取者Ｂから、現金払出の選択操作を受け付け、現金払出の処理を開始する。
Ｓ５３〜Ｓ５５の処理において、受取ＡＴＭ１０の制御部１９、受取銀行サーバ２０の制御部２９は、上記Ｓ３〜Ｓ５と同様に、受取者Ｂの受取口座、暗証番号を照合し、また、受取銀行サーバ２０及び送金管理サーバ５０間の通信と、受取ＡＴＭ１０及び送金管理サーバ５０間の通信とを確立する。
以降の処理は、受取銀行サーバ２０の制御部２９と、送金管理サーバ５０の制御部５９とが、必要に応じて情報を送受信しながら行う。なお、受取銀行サーバ２０の制御部２９は、Ｓ５４の照合結果が不適切である場合には、現金払出処理を中止する。
【００４９】
Ｓ５６において、送金管理サーバ５０は、現金払出入力画面１２ｆ（図９参照）を作成し、受取ＡＴＭ１０に送信する。
Ｓ５７において、受取ＡＴＭ１０の制御部１９は、現金払出入力画面１２ｆを表示部１２に表示することにより、受取者Ｂに対して入力を要求する。
現金払出入力画面１２ｆは、以下の入力項目を有する。
・受取予約額
・受取パスコード
受取者Ｂは、「受取予約額：１０万円」、「受取パスコード：ｃｄｅ」と入力し（図９の♯５７参照）、確認ボタン１２ｇを操作する。
【００５０】
Ｓ５８において、受取ＡＴＭ１０の制御部１９は、確認ボタン１２ｇの操作に応じて、記憶部１６から「ＡＴＭ識別情報１６ａ：００２」を読み出す。そして、制御部１９は、「受取銀行：β」、「支店名：△△」、「受取口座番号：１２３４」と、読み出した「ＡＴＭ識別情報１６ａ：００２」と、入力された「受取パスコード：ｃｄｅ」、「受取予約額：１０万円」とを、送金管理サーバ５０に送信する。
なお、受取銀行サーバ２０の制御部２９、受取ＡＴＭ１０の制御部１９は、これら「受取銀行：β」、「支店名：△△」、「受取口座番号：１２３４」の情報を、受取者Ｂの受取口座、暗証番号を照合時（Ｓ５４）に、確認することができる。
【００５１】
Ｓ５９において、送金管理サーバ５０の制御部５９は、受取ＡＴＭ１０からの受信した上記情報と、受取予約記憶部５７の受取予約とを照合する（図１０の♯５９参照）。つまり、制御部５９は、受取ＡＴＭ１０に入力された「受取パスコード：ｃｄｅ」と、受取予約記憶部５７の「受取パスコード：ｃｄｅ」とを照合する。
【００５２】
また、制御部５９は、現金払出を行う受取ＡＴＭ１０の設置場所情報と受取予約記憶部５７に記憶した設置場所情報とを照合する。
つまり、制御部５９は、現金払出を行う受取ＡＴＭ１０の「ＡＴＭ識別情報１６ａ：００２」に基づいて、識別情報−設置場所記憶部５８（図１参照）を参照することにより、設置場所が「××市支店」であると確認する。制御部５９は、同様に、受取予約記憶部５７の「ＡＴＭ識別情報１６ａ：００１」に基づいて、設置場所が「××市支店」であると確認する。制御部５９は、両者の設置場所が同一である場合には、適切であると判定する。
なお、受取予約を受け付けた受取ＡＴＭ１０と、現金払出を行う受取ＡＴＭ１０とは、設置場所が同じであれば、異なる端末であってもよい。図１に示すように、ＡＴＭ識別情報１６ａがそれぞれ「００１」、「００２」である２つの受取ＡＴＭ１０は、同一の「××市支店」に設置されている。このため、制御部５９は、両者の設置場所が同一であるため、適切であると判定する。
【００５３】
送金システム１は、この処理によって、現金払出を行う受取ＡＴＭ１０の設置場所情報と、受取予約をした受取ＡＴＭ１０の設置場所情報とが同一である場合に現金払出を許可できる。このため、受取者Ｂは、受取予約をしてから現金払出をするまで、受取予約をした場所の近くの場所（例えば、××市内等）にいる必要等がある。これにより、受取者Ｂになりすました者は、逃亡の機会が減ることになる。
これにより、送金システム１は、不正な送金依頼を抑制できる。
【００５４】
Ｓ６０において、送金管理サーバ５０の制御部５９は、適切な照合結果である場合には、現金払出操作を受け付けた受取ＡＴＭ１０での現金払出を、受取銀行サーバ２０に対して許可する。なお、制御部５９は、受取パスコード、設置場所の２つの照合結果のうち１つでも不適切であった場合は、現金払出処理を終了する。
【００５５】
Ｓ６１において、受取銀行サーバ２０の制御部２９は、現金払出の許可に応じて、預金から送金額を減算する。これにより、受取者Ｂの預金が更新される。
Ｓ６２において、受取銀行サーバ２０の制御部２９は、受取ＡＴＭ１０に対して、現金払出を命令する。
Ｓ６３において、受取ＡＴＭ１０の制御部１９は、現金入出金部１５を制御して、受取者Ｂへの現金払出を実行する。また、制御部１９は、キャッシュカードを排出して受取者Ｂに返却する。
以上によって、送金システム１は、受取者Ｂに現金払出をすることができる。
【００５６】
なお、受取銀行サーバ２０、送金管理サーバ５０は、送金の現金払出前の状態において、送金額を指定しない一般的な預金の現金払出の処理では、送金額を残存する金額の現金払出しのみを許可する。
例えば、送金前の預金が５万円であり、送金額が１０万であった場合には、送金後の預金は、１５万円になる。この場合、受取銀行サーバ２０、送金管理サーバ５０は、一般的な預金の現金払出の処理では、送金額１０万円を残存する金額５万円まで（つまり、送金前の預金分）の現金払出を許可する。
これにより、送金システム１は、送金額１０万円を、上記処理によってのみ現金払出をすることができ、安全性を向上できる。
【００５７】
また、受取銀行サーバ２０、送金管理サーバ５０は、送金後の一定時間（例えば数時間）の間に現金払出を受け付けなかったり、受取予約との照合（Ｓ５９参照）の処理が不適切であった場合には、送金額を送金銀行サーバ４０の送金口座に戻すようにしてもよい。この場合には、不正に送金された送金額の払出を抑制できる。
【００５８】
以上説明したように、送金システム１では、受取者Ｂは、受取ＡＴＭ１０で受取予約を行った後に、受取ＡＴＭ１０で現金払出を行う必要があるので、一連の処理において、受取ＡＴＭ１０の設置場所に２度行く必要がある（受取予約時、現金払出時）。このため、送金を受け取るための手順が煩雑になる。また、受取者Ｂは、受取ＡＴＭ１０の設置された防犯設備が充実した施設に、場所に２度行く必要がある。さらに、送金システム１では、受取予約から現金払出までにある程度の時間を要する。これにより、なりすました者の不正を働く意欲を減退でき、不正な送金依頼を抑制できる。
【００５９】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図１１は、第２実施形態の送金システム２０１のブロック図である。
送金システム２０１の受取銀行サーバ２２０、送金銀行サーバ２４０は、第１実施形態の送金管理サーバの機能を、分散して備える。
【００６０】
受取銀行サーバ２２０の記憶部２２６は、受取予約記憶部２５７−１、ＡＴＭ識別情報−設置場所記憶部２５８−１を備える。
受取銀行サーバ２２０の制御部２２９は、送金管理制御部２５９−１（管理部）を備える。
送金管理制御部２５９−１は、受取予約の受付処理（図３参照）、現金払出処理（図８参照）において、第１実施形態の送金管理サーバの制御部と同様な処理を行う。
送金管理制御部２５９−１は、パスコード作成部２５９ａ−１を備える。
パスコード作成部２５９ａ−１は、受取予約の受付処理において、送金パスコードを作成する（図３のＳ９参照）。
【００６１】
送金銀行サーバ２４０の記憶部２４６は、受取予約記憶部２５７−２、ＡＴＭ識別情報−設置場所記憶部２５８−２を備える。
後述するように、受取予約記憶部２５７−２と、受取銀行サーバ２２０の上記受取予約記憶部２５７−１とは、同一の情報を記憶する。
【００６２】
ＡＴＭ識別情報−設置場所記憶部２５８−２は、受取銀行サーバ２２０の上記ＡＴＭ識別情報−設置場所記憶部２５８−１とは、同一の情報を記憶する。つまり、受取銀行サーバ２２０、送金銀行サーバ２４０は、受取ＡＴＭ１０の設置場所について、同じ情報を記憶したデータベースを備える。
【００６３】
送金銀行サーバ２４０の制御部２４９は、送金管理制御部２５９−２（管理部）を備える。
送金管理制御部２５９−２は、送金受付処理（図５、図６参照）において、第１実施形態の送金管理サーバの制御部と同様な処理を行う。
送金管理制御部２５９−２は、パスコード作成部２５９ａ−２を備える。
パスコード作成部２５９ａ−２は、送金受付処理において、受取パスコードを作成する（図６のＳ３９参照）。
【００６４】
図１２は、第２実施形態の送金処理における情報の流れを説明する図である。
受取銀行サーバ２２０の制御部２２９、送金銀行サーバ２４０の制御部２４９は、受取予約の受付処理、送金受付処理、現金払出処理時において、情報を送受信する。このため、受取銀行サーバ２２０の受取予約記憶部２５７−１と、送金銀行サーバ２４０の受取予約記憶部２５７−２とは、同一の情報を記憶することができる。
これにより、送金システム２０１の受取銀行サーバ２２０、送金銀行サーバ２４０は、第１実施形態の送金管理サーバの機能を分散して備えていても、第１実施形態と同様な作用、効果を奏することができる。
【００６５】
すなわち、受取銀行サーバ２２０の制御部２２９は、受取予約記憶部２５７−１、ＡＴＭ識別情報−設置場所記憶部２５８−１に基づいて、受取予約の受付処理、現金払出処理を行うことができる。一方、送金銀行サーバ２４０の制御部２４９は、受取予約記憶部２５７−２、ＡＴＭ識別情報−設置場所記憶部２５８−２に基づいて、送金受付処理を行うことができる。
【００６６】
以上説明したように、本実施形態の送金システム２０１は、送金管理サーバを備えていなくても、送金管理の処理を、受取銀行サーバ２２０、送金銀行サーバ２４０に分散させることにより、第１実施形態と同様な作用、効果を奏することができる。
【００６７】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６８】
（変形形態）
（１）実施形態において、送金端末は、送金ＡＴＭである例を示したが、これに限定されない。送金端末は、例えば、送金者が所有する情報通信端末でもよい。この場合には、送金者は、例えば、インターネットバンク上で、送金受付処理をすることができる。
【００６９】
（２）実施形態において、受取予約を行う受取ＡＴＭ、現金払出を行う受取ＡＴＭは、同一店舗内である例を示したが、これに限定されない。
例えば、送金システムは、受取予約を行う受取ＡＴＭの設置場所と、現金払出を行う受取ＡＴＭの設置場所とが、近距離（例えば数ｋｍ以内）である場合に、現金払出を許可してもよい。この場合には、送金システムは、各受取ＡＴＭの住所等をＡＴＭ識別情報−設置場所記憶部に記憶しておき、地図のデータベースを利用して、両者の距離を判定すればよい。
また、別の形態では、送金システムは、現金払出をする受取ＡＴＭを送金者が指定することにより、これを変更できるようにしてもよい。
この形態では、送金ＡＴＭが、受取口座の入力画面に、受取ＡＴＭを指定する画面を追加し（Ｓ３５、図７（Ｃ））、送金者からの操作を受け付ければよい。送金ＡＴＭでの操作に応じて、送金管理サーバは、受取予約情報に、指定された受取ＡＴＭの受取ＡＴＭ識別情報を加える（Ｓ４０）。また、送金者は、受取者に対して、指定した受取ＡＴＭを、受取パスコードとともに電話等で伝える（図１の＃４２）。
現金払出の処理は、実施形態と同様である。つまり、受取者が現金払出のために受取ＡＴＭを操作した場合に、送金管理サーバは、受取者が操作している受取ＡＴＭと、送金者が指定した受取ＡＴＭとが、一致しているか否かを各受取ＡＴＭ識別情報に基づいて判定し（Ｓ５９）、一致した場合に現金払出を許可すればよい（Ｓ６０〜Ｓ６３）。
この形態では、送金者及び受取者が親しい間柄であるために、受取者がどこで現金払出をすることが都合がよいかを送金者が知っている場合等に、より安全に、送金をすることができる。
【００７０】
（３）実施形態において、受取予約の送金は、受取口座の通常の預金に対して行う例を示したが、これに限定されない。例えば、銀行口座のなかに送金専用枠（受取口座）を設けたり、又は受取専用の銀行口座（受取口座）を設け、受取予約の送金は、これに行ってもよい。
【００７１】
（４）実施形態において、送金管理サーバ、送金銀行サーバは、送金受付時に照合結果が適正な場合に、送金を実行する例を示したが、これに限定されない。送金管理サーバ、送金銀行サーバは、送金受付時に照合結果が適正な場合に、例えば、送金待機状態としてもよい。この場合には、現金払出時において、照合結果が適正な場合（つまり、受取者の受取ＡＴＭへの入力が適正であり、かつ、受取ＡＴＭの設置場所が適正な場合）に、送金管理サーバ、送金銀行サーバは、送金待機状態であった送金を許可後に、現金払出をすればよい。この場合には、受取者が適正な場合等においてのみ送金実行をすればよいので、不必要な送金処理を抑制できるし、また、受取者が不適正な場合における返金処理を不要にできる。さらに、この場合には、現金払出時において送金実行を制御することにより、送金後の受取口座では、送金前の預金と、送金額とを区別する必要ない。これにより、この場合には、通常の現金払出の処理によって、現金払出をすることができる。
【００７２】
（５）実施形態において、受取者の銀行と、送金者の銀行とは、異なる銀行である例を示したが、これに限定されない。両者は、同一の銀行であってもよい。この場合には、同一の銀行の２つの口座間において、送金処理をすればよいので、処理を簡単にすることができる。
【００７３】
（６）実施形態において、受取予約を送金者に伝える送信情報には、受取予約の詳細（金額等）を含まない例を示したが（Ｓ１４，Ｓ１５）、これに限定されない。この送信情報に、受取予約額を含ませてもよい。この形態では、受取予約額が従前の金額と異なっている場合、不自然に高い金額の場合等に、送金者に対して、不正に気付くきっかけになる効果を期待できる。
【符号の説明】
【００７４】
１  送金システム
１０  受取ＡＴＭ
１９，２９，３９，４９，５９，２２９，２４９  制御部
２０，２２０  受取銀行サーバ
２７，４７  預金記憶部
３０  送金ＡＴＭ
４０，２４０  送金銀行サーバ
５０  送金管理サーバ
５７，２５７−１，２５７−２  受取予約記憶部
５８，２５８−１，２５８−２  ＡＴＭ識別情報−設置場所記憶部
５９ａ，２５９ａ−１，２５９ａ−２  パスコード作成部
【図１】
2016057675.tif 000003
【図２】
2016057675.tif 000004
【図３】
2016057675.tif 000005
【図４】
2016057675.tif 000006
【図５】
2016057675.tif 000007
【図６】
2016057675.tif 000008
【図７】
2016057675.tif 000009
【図８】
2016057675.tif 000010
【図９】
2016057675.tif 000011
【図１０】
2016057675.tif 000012
【図１１】
2016057675.tif 000013
【図１２】
2016057675.tif 000014